(57)【要約】【課題】撮像情報を表示する際、画面上の所望の位置に表示可能にした電子カメラ装置の提供。【解決手段】電子カメラ装置１００は、液晶表示素子からなる液晶表示部４１上に透明な位置検出センサー４５を配設した画面を有する表示部兼選択入力部を備えている。表示部には画像の他、撮像日時、焦点距離、画角、シャッター速度、撮像モード等の撮像情報を表示できる。使用者が、画面上に表示された撮像情報にタッチしてから画面上の所望の位置をタッチすると、その撮像情報の位置の座標とタッチされた所望の位置の座標が位置検出センサー４５によって検出され、それら検出値に基づいてその撮像情報がタッチされた所望の位置に移動して表示される。【選択図】      図１
2006189895.tif 000002
【特許請求の範囲】
【請求項１】
撮像素子で取り込んだ撮像画像を表示装置に表示する電子カメラ装置において、
前記表示装置に表示されている撮像画像上に該撮像画像に関する撮像情報を表示する撮像情報表示手段と、
この撮像情報表示手段により表示されている撮像情報を前記撮像画像上の所望の位置に移動させる撮像情報移動手段と、
を有することを特徴とする電子カメラ装置。
【請求項２】
前記撮像情報移動手段により移動された撮像情報の表示位置を示す表示位置情報を記憶する記憶手段を備え、
前記撮像情報表示手段は、前記記憶手段に記憶されている表示位置情報に応じた表示位置に前記撮像情報を表示することを特徴とする請求項１記載の電子カメラ装置。
【請求項３】
前記記憶手段は、前記撮像素子で取り込んだ撮像画像、該撮像画像に関する撮像情報および該撮像情報の表示位置情報を複数組記憶し、
前記撮像情報表示手段は、前記記憶手段に記憶されている撮像画像が表示装置に表示されている場合、表示されている撮像画像と対応して記憶されている撮像情報を、該撮像情報と対応して記憶されている表示位置情報に応じた表示位置に表示することを特徴とする請求項２記載の電子カメラ装置。
【請求項４】
前記記憶手段は、各々の撮像画像と対応して、該撮像画像に関する複数種の撮像情報及び該複数種の撮像情報毎の表示位置情報を記憶することを特徴とする請求項３記載の電子カメラ装置。
【請求項５】
前記表示装置の画面上に位置検出素子を配設した入力手段を備え、
前記撮像情報移動手段は、前記入力手段を用いて撮像画像上の所望の位置に撮像情報を移動させることを特徴とする請求項１乃至４のいずれかに記載の電子カメラ装置。
【請求項６】
撮像素子で取り込んだ撮像画像を表示装置に表示する電子カメラ装置において、
前記表示装置に表示されている撮像画像上に該撮像画像に関する撮像情報を表示する撮像情報表示手段と、
この撮像情報表示手段により表示されている撮像情報の文字サイズを変更する文字サイズ変更手段と、
を有することを特徴とする電子カメラ装置。
【請求項７】
表示装置に表示されている撮像画像上に該撮像画像に関する撮像情報を表示する撮像情報表示方法であって、
前記撮像画像上に表示されている撮像情報を撮像画像上の所望の位置に移動させて表示させる、
ことを特徴とする撮像情報表示方法。
【発明の詳細な説明】
【技術分野】
【０００１】
本発明は、デジタルカメラ等の電子カメラ装置に関し、特に、撮像画像と共に表示する撮像情報の表示補助機能に関する。
【背景技術】
【０００２】
銀塩カメラでは撮像時に日付や撮影時間をフィルム上の潜像の下方に映し込み、現像された画像の下方に再現するものがある。
また、電子カメラ装置で画像表示装置を備え、再生画像を画面上に表示する際に、日付や撮像時間等の撮像情報を表示可能なものがあるが、このような電子カメラ装置では撮像時に画像をフラッシュメモリー等の記録媒体に記録する際に撮像情報等を画像とは別に記録媒体に記録し、再生時に画像と撮像情報を液晶ディスプレイ等の表示装置に表示できるが、固定位置に表示される。
【発明の開示】
【発明が解決しようとする課題】
【０００３】
従来の電子カメラ装置では撮像情報の表示位置を画面の特定の位置に固定しているので、撮像情報を表示しようとすると被写体像と重なってしまい、表示を断念せざるを得ないといった不具合が生じていた。
【０００４】
また、撮像情報と被写体像が重ならない場合でも撮像情報の表示される位置が画像のレイアウト上好ましくない場合も多々あり、このような場合にも撮像情報を表示したくても断念せざるを得ず、結果として、不便感をもった使用者が撮像表示機能の利用をしなくなってきているという問題点があった。
【０００５】
本発明は、上記不具合および問題点を解決するためになされたものであり、撮像情報を表示する際、撮像画像上の所望の位置に表示可能にした電子カメラ装置及び撮像画像表示方法の提供を目的とする。
【課題を解決するための手段】
【０００６】
上記の目的を達成するために第１の発明は、撮像素子で取り込んだ撮像画像を表示装置に表示する電子カメラ装置において、前記表示装置に表示されている撮像画像上に該撮像画像に関する撮像情報を表示する撮像情報表示手段と、この撮像情報表示手段により表示されている撮像情報を前記撮像画像上の所望の位置に移動させる撮像情報移動手段と、を有することを特徴とする。
【０００７】
上記第１の発明の電子カメラ装置において、前記撮像情報移動手段により移動された撮像情報の表示位置を示す表示位置情報を記憶する記憶手段を備え、前記撮像情報表示手段は、前記記憶手段に記憶されている表示位置情報に応じた表示位置に前記撮像情報を表示するようにしてもよい。
【０００８】
また前記記憶手段は、前記撮像素子で取り込んだ撮像画像、該撮像画像に関する撮像情報および該撮像情報の表示位置情報を複数組記憶し、前記撮像情報表示手段は、前記記憶手段に記憶されている撮像画像が表示装置に表示されている場合、表示されている撮像画像と対応して記憶されている撮像情報を、該撮像情報と対応して記憶されている表示位置情報に応じた表示位置に表示するようにしてもよい。
【０００９】
更に、前記記憶手段は、各々の撮像画像と対応して、該撮像画像に関する複数種の撮像情報及び該複数種の撮像情報毎の表示位置情報を記憶するようにしてもよい。
【００１０】
上記各電子カメラ装置において、前記表示装置の画面上に位置検出素子を配設した入力手段を備え、前記撮像情報移動手段は、前記入力手段を用いて撮像画像上の所望の位置に撮像情報を移動させるようにしてもよい。
【００１１】
第２の発明は、撮像素子で取り込んだ撮像画像を表示装置に表示する電子カメラ装置において、前記表示装置に表示されている撮像画像上に該撮像画像に関する撮像情報を表示する撮像情報表示手段と、この撮像情報表示手段により表示されている撮像情報の文字サイズを変更する文字サイズ変更手段と、を有することを特徴とする。
【００１２】
また第３の発明は、表示装置に表示されている撮像画像上に該撮像画像に関する撮像情報を表示する撮像情報表示方法であって、前記撮像画像上に表示されている撮像情報を撮像画像上の所望の位置に移動させて表示させる、ことを特徴とする。
【発明の効果】
【００１３】
以上説明したように、第１の発明の電子カメラ装置によれば、本発明によれば表示された撮像情報を画面の任意の位置に移動できるので、画像と撮像情報が重複表示される場合にも撮像と重ならない位置に撮像情報を表示できる。
【００１４】
また、第２の発明の電子カメラ装置によれば所望の撮像情報を画面の任意の位置に移動できるので、画像に応じた撮像情報を表示できる。また、画像と撮像情報が重複表示される場合にも撮像と重ならない位置に撮像情報を表示できる。また、撮像情報を分割移動することもできるので、この場合には、画像の構図上望ましい位置に撮像情報を表示することができる。
【００１５】
また、撮像情報の表示文字サイズを変更できるので、表示空間が狭い場合にも縮小して表示できる。また、文字サイズの変更により画像の構図上より望ましい位置に撮像情報を表示することができる。また、字体を変更することもできるので画像に合わせて適切な字体を選んで表示でき、画像の構図上調和の取れた撮像情報を表示することができる。
【００１６】
更に、撮像画像のチェックの際に表示する撮像情報の種類を選択したり、画像の再生に変更表示される撮像情報の種類を変更できるので、画像にあった撮像情報を表示できる。また、撮像情報の表示位置の保存／変更ができるので再生時に表示位置の見直し等ができる。
【発明を実施するための最良の形態】
【００１７】
＜装置外観例＞
図１は本発明の電子カメラ装置の一実施例としてのデジタルカメラの外観（背面外観例）を示す外観図である。
デジタルカメラ１００の本体上面には、処理モード選択用のモード切換えボタン３１〜３３，プラスボタン３４，マイナスボタン３５およびシャッタボタン３６が配設されている。また、背面には、電源スイッチ３７および記録／再生モードキー３８と、液晶表示素子からなる液晶表示部４１と、液晶表示部４１上に配設された透明な位置検出センサー４５が配設されている。なお、記号７１は撮像情報（この例では撮像日付）の例である。
また、図示しない前面には撮像レンズ部およびファインダー部が設けられており、図示しない底部にはビデオ出力端子および電池収納口が設けられている。
【００１８】
＜回路構成例＞
図２は、本発明の電子カメラ装置の一実施例としてのデジタルカメラの回路構成例を示すブロック図である。
図２で、デジタルカメラ１００は、光学系１１、信号変換部１２、信号処理部１３、ＤＲＡＭ（ダイナミックメモリー）１４、撮像情報記録部１５、制御部２０、操作部３０、表示部兼入力部４０、およびフラッシュメモリー５１を有している。
【００１９】
光学系１１は、撮像レンズおよび自動絞り機構等を含み、撮像レンズを介して集光された被写体像の光束を後段の信号変換部１２の撮像素子（ＣＣＤ）上に結像させる。
【００２０】
信号変換部１２は、ＣＣＤおよび信号変換回路等を含み、前段の光学系１１を介してＣＣＤに結像した画像を電気信号に変換し、デジタルデータに変換して一定の周期で出力する。
【００２１】
信号処理部１３は、信号変換部１２からの出力を処理して、デジタルの輝度、色差マルチプレクス信号（ＹＵＶデータ）等の信号成分を得て、ＹＵＶデータをＤＲＡＭ１４の指定領域へ転送し、展開する。また、記録保存の際にＤＲＡＭ１４に書込まれているＹＵＶデータを読み出してＪＰＥＧ圧縮処理を施して記録媒体５１に保存記録し、再生時に記録媒体（フラッシュメモリー）５１に保存記録されている画像データに伸張処理を施してＹＵＶデータを再生する。
【００２２】
撮像情報記録部１５はメモリーからなり、撮像日時，撮像条件（焦点距離，画角、シャッター速度、被写体までの距離、通常撮影か近接撮影か等の撮像モード、ストロボ使用の有無、手振れ機能の有無等），環境情報（温度、湿度、高度等）等の撮像情報と撮像した画像とを対応付けると共に、撮像情報の表示の可否および表示する撮像情報の表示位置（液晶表示部４１上の座標）等とを対応づけた撮像情報レコードを記録する（図３）。なお、撮像情報記録部１５をフラッシュメモリー５１と一体とし、フラッシュメモリー５１上の特定領域として確保するように構成してもよい。
【００２３】
制御部２０はＣＰＵ、ＲＡＭ、ＲＯＭおよびタイマー等を有したマイクロプロセッサー構成を有しており、ＣＰＵは、上述の各回路および図示しない電源切換えスイッチ等にバスラインを介して接続し、ＲＯＭに格納されている制御プログラムによりデジタルカメラ１００全体の制御を行なうと共に、操作部３０からの状態信号に対応してデジタルカメラの各機能の実行制御、例えば、各種モードの実行制御やＲＯＭ内に格納された撮像情報設定手段および撮像情報表示手段等の実行のための実行制御等を行なう。
【００２４】
操作部３０は、図１に示したような各種のボタンやスイッチ等を構成部分とし、これらのスイッチ或いはボタンが操作されると状態信号が制御部２０に送出される。
【００２５】
表示部兼入力部４０は液晶表示素子からなる液晶表示部（画面）４１，ＶＲＡＭ（ビデオＲＡＭ）４２、液晶表示部４１とＶＲＡＭ４２の間にあって制御部２０からＶＲＡＭ４２への画像データの書込みタイミングおよび液晶表示部４１への表示タイミング信号を生成するタイミングジェネレータ（ＴＧ）４３、および位置検出センサ４５を有しており、撮像時の被写体画像表示および再生時の再生画像表示の他、処理選択時の選択用メニュー表示や撮像情報等の表示が可能である。
【００２６】
位置検出センサ４５は透明性のあるタッチ電極等のスイッチ素子からなり、液晶表示部４１上を覆うように２次元配設され、使用者がタッチペン或いは指等で触れると触れた部分がオンの状態になるので位置検出センサ４５を構成する各スイッチ素子の状態を調べることにより画面上のどの位置にタッチがあったかを知ることができる。
【００２７】
フラッシュメモリー５１は信号処理部１３からの画像データ等を記録する。なお、フラッシュメモリー５１上に撮像情報記録部１５を確保することもできる。
【００２８】
＜撮像情報記録部の構成例＞
図３は、撮像情報記録部１５の構成例を示す説明図であり、撮像情報記録部１５には、画像番号欄１５１、撮像情報表示フラグ欄１５２、撮像情報欄１５３−１，・・，１５３−ｎ、撮像情報表示位置欄１５４−１，・・，１５４−ｎ、表示文字サイズ欄１５５−１，・・，１５５−ｎ、字体欄１５６−１，・・，１５６−ｎ等を含む表示情報レコード１５０−１，・・，１５０−ｍが撮像画像毎に設けられている。
【００２９】
画像番号欄１５１には撮像画像の画像番号または格納アドレスが記憶され、撮像情報表示フラグ欄１５２には撮像情報の種類（ｎ）分のフラグ欄１５２−１，１５２−２，・・，１５２−ｎが設けられ、撮像情報が表示を要する場合には対応するフラグがオン（＝１）とされ、表示を要しない場合には対応するフラグはオフ（＝０）とされる。
【００３０】
撮像情報欄１５３−１，・・，１５３−ｎには当該画像の撮像情報が記録される。画像情報の例としては、焦点距離、画角、シャッター速度、被写体までの距離、通常撮影か近接撮影か等の撮像モード、ストロボ使用状態、手振れ機能の有無、温度、湿度、高度等があり、デジタルカメラの種類によって適宜設定できる。
本実施例では、説明上、撮像日時、焦点距離、画角、シャッター速度、通常撮影か近接撮影か等の撮像モード、ストロボ使用状態の６種類（ｎ＝６）の撮像情報を表示可能な撮像情報としている。
そして、これら撮像情報は、撮像画像の撮像時に、検知或いは生成された値や判定された状態を示すコード等から得られ、記録時に撮像情報欄１５３の対応の欄に書込まれる。すなわち、撮像情報欄１５３−１には撮像日時、撮像情報欄１５３−２には焦点距離（Ｆ値）、撮像情報欄１５３−３には画角（値）、撮像情報欄１５３−４にはシャッター速度（Ｓ値）、撮像情報欄１５３−５には撮像モード（コード）、撮像情報欄１５３−６にはストロボ使用状態（コード）が記録される。
【００３１】
撮像情報表示位置欄１５４−１，・・，１５４−ｎは、撮像情報に対応して設けられ、液晶表示部４１上での表示開始位置｛（ｘ１，ｙ１）、・・（ｘｎ，ｙｎ）｝が書込まれる。各表示開始位置は撮像時により所定の表示位置（例えば、四隅のいずれかや、画面下側中央といった位置）の座標が設定されるが、画像再生後に使用者が表示位置を指定した撮像情報については指定した画面上の位置（座標）で書換えられる。
【００３２】
表示文字サイズ欄１５５−１，・・，１５５−ｎは撮像情報に対応して設けられ、対応する撮像情報を表わす文字のサイズが所定サイズに対する割合で現わされて格納される。各文字サイズは撮像時には所定の文字サイズ（設定コード＝１）が設定されるが、画像再生後に使用者が文字の拡大／縮小を指定した撮像情報については指定したサイズ（割合）で置き換えられる。
【００３３】
字体欄１５６−１，・・，１５６−ｎは、撮像情報に対応して設けられ、対応する撮像情報の表示文字の字体がコード化されて格納される。各文字の字体は撮像時には所定の字体（設定コード＝１）が設定されるが、画像再生後に使用者が字体を指定した撮像情報については指定した字体（コード）で置き換えられる。なお、本実施例では字体を各撮像情報に対応させているが、字体を各画像共通として（すなわち、画像に対して字体欄１５６を１個として）もよく、また、文字サイズおよび字体は固定されていてもよい。なお、表示文字サイズおよび字体はコードと対応づけて予めＲＯＭの記録媒体に登録されている。
【００３４】
＜撮像情報設定手段および撮像情報表示手段＞
制御部２０は、図４（ａ）に示す撮像情報設定手段１１０に基づいて撮像時に所定の撮像情報およびその表示用初期値を撮像情報記録部１５に自動記録し、画像再生時に、図４（ｂ）に示す撮像情報表示手段１２０により、所望の画像について各撮像情報のうち所望の撮像情報を所望の文字サイズおよび字体で画面上の所望の位置に表示させると共に、撮像情報記録部１５をユーザの指定（選択）値で更新する。
【００３５】
撮像情報設定手段１１０および撮像情報表示手段１２０は、ハードウエア回路で構成することもできるが本実施例ではそれらの手段をプログラムで構成している。なお、撮像情報設定手段１１０および撮像情報表示手段１２０の各モジュールのうちあるモジュールをハードウエア回路で、その他のモジュールをプログラムで構成するようにしてもよい。また、撮像情報設定手段１１０および／または撮像情報表示手段１２０をプログラムで構成した場合にはこれらの各モジュールは、例えば制御部２０のＲＯＭに記録され、制御プログラムのコントロール下でＣＰＵにより実行制御され、本実施例の画像出力処理を実現する。図４は、撮像情報設定手段１１０および撮像情報表示手段１２０の構成例を示すブロック図であり、（ａ）は撮像情報設定手段１１０の構成例を示し、（ｂ）は撮像情報表示手段１２０の構成例を示す。
【００３６】
［撮像情報設定手段］
撮像情報設定手段１１０は、図４（ａ）に示すように、撮像情報一時記憶手段１１１および撮像情報記録手段１１２を有している。
撮像情報一時記憶手段１１１は、記録モード下で検知或いは生成される値や判定される状態のうち所定の情報を撮像情報として、撮像画像の撮像時（シャッターボタン３６の押し下げ時）に、制御部２０のＲＡＭ或いはＤＲＡＭ１４上に設けられた撮像情報バッファ（撮像情報レコード１５０の撮像情報欄と同一フォーマット）の対応の撮像情報欄に記憶する。
【００３７】
例えば、撮像日時は内蔵タイマーおよびよく知られている日付生成モジュール（プログラム）により生成できる。そこで、この生成値を撮像情報バッファの１番目の撮像情報欄に記憶できる。また、焦点距離、画角、およびシャッター速度は撮像時の光学系１１の制御値から得ることができるので、これらの値を撮像情報バッファの２番目〜４番目の撮像情報欄に記憶できる。また、撮像モードは、モード選択ボタンの操作状態（状態コード）から判別できるので、通常撮影→０、近接撮影→１といったようにコード化して５番目の撮像情報欄に記憶できる。また、ストロボ使用状態についてもストロボ設定ボタンおよびシャッターボタンの状態（状態コード）が共にオン（＝１）の場合をストロボ使用あり（＝１）、その他の場合をストロボ使用なし（＝０）としてコード化して記録できる。
【００３８】
撮像情報記録手段１１２は、撮像した画像の記録保存時に、当該画像の画像番号ｉを撮像情報レコード１５０−ｉの画像番号欄１５１に、撮像情報レコードバッファの記憶内容を撮像情報欄１５３に書込むと共に、撮像情報表示フラグ欄１５２に初期値（＝０）を、撮像情報表示位置欄１５４、表示文字サイズ欄１５５および字体欄１５６に初期値（所定値）を書込む。
【００３９】
図５は、撮像情報設定手段１１０の基本的動作を示すフローチャートである。先ず、制御部２０は操作部３０の各ボタンの状態フラグを調べ、記録モードでシャッターボタン３６が操作されたか否かを判定し、操作された場合には撮像がなされたものとしてＳ２に移行し、そうでない場合には撮像待ち状態を続行する（Ｓ１）。
【００４０】
上記Ｓ１で、シャッターボタン３６が操作された場合には、記録モード下で検知或いは生成される画像の撮像情報や判定される状態のうち所定の情報（本実施例では、撮像日時、焦点距離、画角、シャッター速度、撮像モード、ストロボ使用状態の６種類）を撮像情報として、撮像情報バッファの対応の撮像情報欄に記憶する（Ｓ２）。次に、撮像画像のフラッシュメモリー５１（記録媒体）への記録保存が終ったか否かを調べ、記録保存が終った場合にはＳ４に移行し、終っていない場合には待ち状態を続行する（Ｓ３）。
【００４１】
上記Ｓ３で、撮像画像の記録保存が終った場合には、その画像の画像番号ｉを撮像情報レコード１５０−ｉの画像番号欄１５１に、撮像情報バッファの記憶内容を撮像情報欄１５３に書込むと共に（Ｓ４）、撮像情報表示フラグ欄１５２に初期値（＝０）を、撮像情報表示位置欄１５４、表示文字サイズ欄１５５および字体欄１５６に初期値（所定値）を書込むことにより撮像情報記録部１５への記録を行なう（Ｓ５）。
【００４２】
［撮像情報表示手段］
また、撮像情報表示手段１２０は、図４（ｂ）に示すように、表示情報選択手段１２１、表示位置決定手段１２２、表示情報移動手段１２３、文字サイズ等変更手段１２４、および撮像情報更新手段１２５を有している。
表示情報選択手段１２１は、まず、画像再生時に、再生画像（画像番号ｉ）に対応する撮像情報レコード１５０−ｉの内容を取り出して撮像情報レコードバッファ（制御部２０のＲＡＭ或いはＤＲＡＭ１４上に設けられており、撮像情報レコード１５０と同一フォーマットである）に書込む。
【００４３】
次に、使用者が画像に撮像情報の付加表示を望む場合か、既に撮像情報が付加されている再生画像についてその撮像情報を変更することを望む場合に、撮像情報の選択メニュー（或いは撮像情報）を画面表示して使用者に選択を促し、使用者が選択した撮像情報を表示情報として画面上の初期表示位置（本実施例では右下（図７））に表示すると共に、撮像情報レコードバッファの撮像情報表示フラグ欄の各表示フラグのうち、選択された撮像情報に対応の表示フラグをオン（＝１）にする。撮像情報選択／表示例については後述する（図７，図８）。
【００４４】
表示位置決定手段１２２は、使用者が表示されている撮像情報のうち移動したいものをタッチペンまたは指でタッチした後に画面上の所望の位置近傍をタッチペンまたは指でタッチすると、その撮像情報の位置の座標とタッチされた所望の位置の座標が位置検出センサー４５によって検出されるので、この検出値を基に、移動したい撮像情報の位置と、タッチされた場所（移動先の位置）を得てこれを基にして撮像情報の移動後の表示開始位置（ｘ，ｙ）を決定し、撮像情報レコードバッファの当該撮像情報に対応する表示情報位置欄にその表示開始位置を書込んで更新する。
【００４５】
表示情報移動手段１２３は、指定の撮像情報（移動したい撮像情報としてタッチペンまたは指でタッチした撮像情報）を表示位置決定手段１２２で決定された撮像情報開始位置（ｘ，ｙ）を先頭とする表示位置に移動して表示する（図１１）。
【００４６】
文字サイズ等変更手段１２４は、使用者により指定された文字サイズおよび字体による表示を行ない、撮像情報レコードバッファの表示文字サイズ欄および字体欄を更新する。なお、変更指定しない場合には撮像情報は初期設定値に基づく所定の表示文字サイズおよび字体で表示される。撮像情報を移動させない場合も移動させる場合も共に文字サイズ等の変更を行なうことができる（図１２）。撮像情報更新手段１２５は、再生画像の表示終了後に使用者の選択により撮像情報レコードバッファの内容で撮像情報記録部１５の画像番号ｉの撮像情報レコード１５０−ｉを書換える。
【００４７】
図６は、撮像情報表示手段１２０の基本的動作（Ｔ３〜Ｔ２３）を示すフローチャートである。
撮像時に撮像された画像をチェックする場合などは、使用者は、再生モードにモードを切換えて、プラスボタン３４或いはマイナスボタン３５の操作に従ってフラッシュメモリー５１に記録してある画像データを順次取り出して液晶表示部４１に画像を再生する（Ｔ１）。また、制御部２０は撮像情報記録部１５のｊ番目の撮像情報レコード１５０−ｊ（Ｔ１で再生表示した画像の画像番号の撮像情報レコード）を撮像情報レコードバッファに書込むと同時に、撮像情報表示フラグ欄の表示フラグがオフになっている撮像情報を画像上に表示する。（Ｔ２）。
【００４８】
所望の画像（画像番号ｊ）が表示された場合、使用者は目視によりその構図（撮像データが再生画面上に表示されている場合には、撮像情報を含んだ構図）および画像と共に撮像情報を表示することが適切か否か等を確認し、確認し終った場合にはシャッターボタン３６を押し下げる（Ｔ３）。
【００４９】
上記Ｔ３で、シャッターボタン３６が押されると、制御部２０は撮像情報レコードバッファの撮像情報表示フラグ欄の表示フラグを調べ、表示フラグが全てオフの場合には、初めて表示情報選択を行なう新撮像画像（使用者が後に表示フラグを全てオフにした撮像画像も含む）としてＴ５に移行し、表示フラグが１つでもオンの場合には、撮像画像設定が既になされた再生画像としてＴ８に移行する（Ｔ４）。
【００５０】
上記Ｔ４で、表示フラグが全てオフの場合には液晶表示部４１には再生画像に撮像情報を付加することの可否を問うメッセージおよび選択メニュー（図７（ａ））を表示し使用者の選択を促し、撮像情報を付加する場合はＴ６に移行し、しない場合には処理を終了する（Ｔ５）。
【００５１】
使用者が、液晶表示部４１に表示された選択メニューにタッチするとそのメニューが意味する撮像情報が選択／表示される（Ｔ６）。所望の撮像情報を選択後、シャッターボタン３６を押すと撮像情報が確定され、撮像情報レコードバッファの対応の撮像情報表示フラグ欄の対応の表示フラグをオンにして、Ｔ１１に移行する（Ｔ７）。撮像情報選択／表示動作の詳細については後述（図７、図８）する。
【００５２】
上記Ｔ４で、オンの表示フラグが少なくとも１つある場合には、液晶表示部４１には再生画像と共にオンの表示フラグに対応する撮像情報を表示し、同時にその撮像情報の表示を消去するか、表示するか或いは表示する撮像情報の種類を変更するか、追加するかを問う選択メニューを表示し使用者の選択を促す（Ｔ８）。
【００５３】
使用者が、液晶表示部４１に表示された選択メニューの何れかにタッチするとそのメニューが意味する撮像情報更新処理等が実行される（Ｔ９）。撮像情報更新処理の終了後、シャッターボタン３６を操作すると表示する撮像情報が確定され、撮像情報レコードバッファの対応の撮像情報表示フラグ欄の対応の表示フラグをオン／オフして、Ｔ１１に移行する（Ｔ１０）。撮像情報変更／表示動作の詳細については後述（図９、図１０）する。
ここで、使用者が画面にタッチしたかを調べ、タッチした場合にはＴ１２に移行し、タッチしていない場合にはＴ１５に移行する（Ｔ１１）。
【００５４】
上記Ｔ１１で画面へのタッチがあると、タッチした位置が撮像情報の表示位置か否かをタッチ電極の位置を基にして調べ、撮像情報の表示位置にタッチがあった場合にはＴ１３に移行し、そうでない場合にはＴ１１に戻る（Ｔ１２）。
【００５５】
上記Ｔ１２で撮像情報の表示位置にタッチがあった場合には、更に、画面にタッチされたかを調べ、タッチがあった場合にはＴ１４に移行し、ない場合にはタッチがあるまで待ち状態を続行する（Ｔ１３）。
【００５６】
上記Ｔ１３で、タッチがあった場合にはその位置の近傍を表示開始位置とする表示位置を決定し、その位置にＴ１２でタッチした撮像情報を移動して表示すると共に、撮像情報レコードバッファの撮像情報表示位置欄のうち、移動した撮像情報に対応する撮像情報表示位置欄の内容を移動後の表示位置（座標値）で書換えて、Ｔ１１に戻る（これにより、撮像情報の分割移動および移動した撮像情報の表示位置の調整ができる）（Ｔ１４）。
【００５７】
上記Ｔ１１で、画面にタッチされない場合にはシャッターボタン３６が押し下げられたか否かを調べ、シャッターボタン３６が押し下げられた場合には移動先の表示位置が確認されたものとしてＴ１６に移行し、押し下げられない場合にはＴ１１に戻って、画面へのタッチ待ち或いはシャッターボタン３６の押し下げ待ち状態を続行する（Ｔ１５）。
【００５８】
画面に表示された撮像情報の移動後の表示位置が確認された場合には、表示文字等変更メニュー（図１２（ａ））を表示して使用者の選択を促し（Ｔ１６）、使用者が表示文字サイズの変更を選択した場合にはＴ１８に移行し、選択しなかった場合にはＴ１９に移行する（Ｔ１７）。
【００５９】
上記Ｔ１６で、表示文字サイズの変更が選択された場合には表示文字の拡大／縮小処理を実行して撮像文字を拡大または縮小して表示すると共に、撮像情報レコードバッファの表示文字サイズ欄のうち、サイズを変更した撮像情報に対応する表示文字欄に拡大（縮小）比率を書込む（Ｔ１８）。
【００６０】
次に、字体変更メニューの選択があったか否かを調べ、字体変更が選択された場合にはＴ２０に移行し、選択されない場合にはＴ２１に移行する（Ｔ１９）。
【００６１】
上記Ｔ１９で、字体変更が選択された場合は字体変更処理を実行して当該撮像情報の表示文字の字体を選択された字体に変更すると共に、撮像情報レコードバッファの字体欄のうち、字体を変更した撮像情報に対応する字体欄に変更後の字体のコードを書込む（Ｔ２０）
【００６２】
使用者がシャッターボタン３６を操作すると（Ｔ２１）、画面に表示された変更後の文字が確認されたものとして撮像データを記録するか否か（すなわち、撮像情報記録部１５を更新するか否か）を調べ（Ｔ２２）、撮像データを記録する場合には、撮像情報レコードバッファの内容で撮像情報記録部１５の撮像情報レコード１５０−ｊを更新する（Ｔ２３）。
【００６３】
なお、上記ステップＴ１１〜Ｔ１４を、使用者が、表示されている撮像情報部分を始点としてタッチした後（Ｔ１１）、連続的に画面にタッチしたあと（Ｔ１２）、画面上の所望の位置を終点としてタッチペンまたは指を画面から離すと（Ｔ１３）、終点近傍を表示開始位置とする移動先の表示位置が決定され、決定された位置に撮像画像を表示すると共に、撮像情報レコードバッファの撮像情報表示位置欄のうち、移動した撮像情報に対応する撮像情報表示位置欄の内容を移動後の表示位置（座標値）で書換える（Ｔ１４）ようにしてもよい。
【００６４】
（撮像情報の一括移動）
また、図６のフローチャートでは、複数個表示された撮像情報の分割移動を行なうように撮像情報表示手段１２０を構成しているが、図６のステップＴ１４で撮像情報を移動先に一括移動するように表示位置決定処理モジュールを構成し、表示位置決定処理（Ｔ１４）の終了後にＴ１５に移行するようにすることにより、撮像情報表示手段１２０を複数個表示された撮像情報の一括移動を行なうように構成できる。
【００６５】
（移動後の撮像情報の表示位置調整）
また、図６のフローチャートによれば、移動後の撮像情報の表示位置の修正が簡単にできる。すなわち、図６のステップＴ１４での表示位置決定処理後にステップＴ１１に戻るように構成されているので、使用者は移動後の撮像情報の位置が画像の構図上適切でない場合には当該移動後の撮像情報についてＴ１２〜Ｔ１４を繰り返すことによりその撮像情報を適正な位置に表示するよう修正または調整できる。
【００６６】
［撮像情報の選択／表示例］
図７は、撮像情報の選択／表示例の説明図であり、図８は図６のステップＴ５，Ｔ６における撮像情報選択／表示処理時の制御部の動作例を示すフローチャートである。
なお、図７，図８では説明上撮像情報を撮像日時、焦点距離、画角、シャッター速度、撮像モード、ストロボ使用状態の６種類とし、そのうち、撮像日時、焦点距離、シャッター速度、撮像モード、ストロボ使用状態の５種類を表示する例について説明する。
【００６７】
図６のＴ４で表示フラグが全てオフとすると、Ｔ５−１で液晶表示部４５には図７（ａ）に示すように画面の左下隅に再生画像に撮像情報を付加することの可否を問うメッセージ５１１および選択メニュー５１２、５１３を表示して使用者の選択を促す。
選択メニュー５１２，５１３のうちの何れかにタッチペンまたは指でタッチするとその部分のタッチ電極がオンとなり、制御部２０はオンになったタッチ電極の位置を調べることによりどのメニューが選択されたかを判定できる。ここで、選択メニュー５１２にタッチすると撮像データ表示をするものとしてＴ６−１に移行して、図７（ｂ）に示すように画面の左下隅に１番目の撮像情報（図では撮像日時）の表示の可否を問うメッセージ６１１と選択メニュー６１２，６１３を表示して使用者に選択（タッチ選択）を促す。
【００６８】
Ｔ６−２で、使用者が選択メニュー６１２にタッチすると撮像日時の表示をするものとしてＴ６−３に移行して、撮像情報レコードバッファの１番目の撮像情報欄の撮像日時データを編集して、図７（ｃ）に示すように画面の右下隅に撮像日時６１５を表示する。また、同時に、Ｔ６−４で画面の左下隅に２番目の撮像情報（この例では画角）の表示の可否を問うメッセージと選択メニューを表示して使用者に選択を促す。
【００６９】
Ｔ６−５で、画角の表示をしない方の選択メニューにタッチするとＴ６−７に移行して、図７（ｃ）に示すように画面の左下隅に３番目の撮像情報（図では焦点距離を意味する'フォーカス'）の表示の可否を問うメッセージ６２１と選択メニュー６２２，６２３を表示して使用者に選択を促す。
【００７０】
Ｔ６−８で、使用者が選択メニュー６２２にタッチすると焦点距離の表示が選択されたものとしてＴ６−９に移行して、撮像情報レコードバッファの３番目の撮像情報欄の焦点距離データを編集して、図７（ｄ）に示すように画面の右下隅に表示する。この場合、先に表示された撮像日時６１５は１段繰上げられて表示される。また、同時に、Ｔ６−１０で４番目（この例では、シャッター速度）の表示の可否を問うメッセージと選択メニューを表示して使用者に選択を促す。
【００７１】
Ｔ６−１１で、シャッター速度の表示をするほうの選択メニューにタッチするとＴ６−１２に移行して、撮像情報レコードバッファの４番目の撮像情報欄のシャッター速度データを編集して、画面の右下隅に表示する。この場合、シャッター速度６３５は表示文字数が少ないので先に表示された焦点距離６２５の後に表示される。また、同時に、Ｔ６−１３で画面の左下隅に５番目の撮像情報（この例では撮像モード）の表示の可否を問うメッセージと選択メニューを表示して使用者に選択を促す。
【００７２】
Ｔ６−１４で、撮像モードの表示をする方の選択メニューにタッチするとＴ６−１５に移行して、撮像情報レコードバッファの５番目の撮像情報欄の撮像モードを示すコードから撮像モードを判定して撮像モード名を画面の右下隅に表示する。この場合、先に表示された撮像日時６１５と焦点距離６２５およびシャッター速度６３５の表示はそれぞれ１段ずつ繰上げられて表示される。また、同時に、Ｔ６−１６で画面の左下隅に６番目の撮像情報（この例ではストロボ使用状態）の表示の可否を問うメッセージと選択メニューを表示して使用者に選択を促す。
【００７３】
Ｔ６−１７で、ストロボ使用状態の表示をする方の選択メニューにタッチすると、Ｔ６−１８に移行して撮像情報レコードバッファの６番目の撮像情報欄のストロボ使用状態を示すコードからストロボ使用状態を判定して図７（ｄ）に示すようにストロボ使用状態６６５を画面の右下隅に表示する。図７（ｄ）で、記号６２５は焦点距離を、６３５はシャッター速度を、６５５は撮像モードを示す。表示後、ステップＴ７に移行して使用者による確認入力（シャッターボタン３６の押し下げ）待ちを行なう。
【００７４】
なお、上記撮像情報の表示／選択例では個々の撮像情報について１つずつ表示／選択するようにしたが、選択可能な撮像情報名を一度に全て表示して所望の撮像情報を選んで表示するようにしてもよく、また、撮像情報のグループ別に選択可能な撮像情報名を表示して所望の撮像情報を選んで表示するようにしてもよい。撮像グループの例としては、撮像条件グループ（焦点距離，画角、シャッター速度、撮像モード、ストロボ使用状態、手振れ機能の有無等），環境情報グループ（温度、湿度、高度等）等がある。
【００７５】
［撮像情報変更／表示例］
図９は、再生画像に撮像情報が設定されている場合の撮像情報変更／表示例の説明図であり、図１０は図６のステップＴ８，Ｔ９における撮像情報変更／表示処理時の制御部の動作例を示すフローチャートである。
なお、図９，図１０では説明上撮像情報を撮像日時、焦点距離、画角、シャッター速度、撮像モード、ストロボ使用状態の６種類とし、そのうち、既に撮像日時、焦点距離、シャッター速度の３種類が表示用撮像情報として、表示されている画像９０からシャッター速度の表示を除き、撮像モード、ストロボ使用状態を新たに表示情報として選ぶ例について説明する。
【００７６】
図６のステップＴ１で画像９０を再生すると、既に表示する撮像情報として撮像日時９１５、焦点距離９１６、シャッター速度９１７が設定されているので、図９（ａ）に示すようにそれらの撮像情報が表示される。そして、図６のＴ４の判定で表示フラグのうち撮像日時、焦点距離、シャッター速度に対応する表示フラグがオンとなっているので、図１０のＴ８−１に移行して、液晶表示部４１には図９（ａ）に示すように画面の左下隅に再生画像上に表示する撮像情報を変更することの可否を問うメッセージ９１１および選択メニュー９１２，９１３を表示して使用者の選択を促す。
【００７７】
Ｔ８−２で、使用者が選択メニュー９１２にタッチすると撮像情報を変更するものとしてＴ９−１に移行し、選択メニュー９１３にタッチすると撮像情報を変更しないものとして処理を終了する。
【００７８】
Ｔ９−１で、制御部２０は液晶表示部４１に表示されている撮像情報のうち変更するものを特定させるためのメッセージ（例えば、“変更する表示データにタッチするかシャッターボタンを押して下さい”）を表示して特定を促す。Ｔ９−２で使用者が変更対象の撮像情報にタッチしたかを調べ、タッチした場合にはＴ９ー３でその撮像情報を点滅表示する。例えば、シャッター速度９１７にタッチすると図９（ｂ）に示すようにそれが点滅表示する。また、シャッターボタン３６が押されるとＴ１０に移行する。
そして、Ｔ９−４に移行して図９（ｂ）に示すように画面左下隅に変更メニュー９２１，９２２，９２３を表示する。
【００７９】
Ｔ９−５で、使用者が変更メニュー９２１（消去）にタッチするとＴ９−６で撮像情報レコードバッファのシャッター速度に対応する表示フラグがオフとされ、同時に、図９（ｃ）に示すようにＴ９−７で画面下中央に表示されていたシャッター速度９１７が消去される。
【００８０】
Ｔ９−１に戻って、画面右上隅に表示されている焦点距離９１６にタッチするとそれが図９（ｃ）に示すように点滅を開始する。次に、Ｔ９−５で使用者が選択メニュー９２２（置換）にタッチすると、Ｔ９−８に移行して次のオフ状態の表示フラグに対応する撮像情報（置換候補（本実施例では撮像モード））が点滅表示される。
【００８１】
Ｔ９−９で使用者がシャッターボタン３６を押すと置換ＯＫとなり、Ｔ９−１０で撮像情報レコードバッファの焦点距離に対応する表示フラグがオフにされると共に撮像モードに対応する表示フラグがオンにされ、また、Ｔ９−１１で撮像情報レコードバッファの撮像モードに対応する撮像情報表示位置欄に右上隅の表示開始位置の座標値が書込まれて、撮像モードが撮像情報として確定され、図９（ｄ）に示すように焦点距離９１６が撮像モード９１８で置換される。
【００８２】
Ｔ９−１に戻って、右上隅の１段下にタッチするとその部分が点滅を始める。次に、Ｔ９−５で使用者が選択メニュー９２３（追加）にタッチすると、Ｔ９−１２に移行して次のオフ状態の表示フラグに対応する撮像情報（追加候補（本実施例ではストロボ使用状態））が点滅表示される。
【００８３】
Ｔ９−１３で使用者がシャッターボタン３６を押すと追加ＯＫとなり、Ｔ９−１４で撮像情報レコードバッファのストロボ使用状態に対応する表時フラグがオンされ、Ｔ９−１５で撮像情報レコードバッファのストロボ使用状態に対応する撮像情報表示位置欄に右上隅の１段下の座標値が書込まれて、ストロボ撮像状態が撮像情報として確定され、図９（ｅ）に示すようにストロボ撮像状態９１９が撮像モード９１８の１段下に表示される。
使用者が更にシャッターボタン３６を押すとＴ１０で撮像情報変更が確認されたものとされ、選択メニュー９２１，９２２，９２３が消去されてＴ１１に移行する。
【００８４】
［表示位置の移動表示例］
図１１は、撮像情報の移動表示例（表示位置の変更）例の説明図であり、（ａ）は図８の撮像情報選択／表示動作で表示された撮像情報（図７（ｄ））を、（ｂ）は撮像情報の分割移動表示例を、（ｃ）は一括移動表示例を示す。図１１（ａ）では、撮像情報として撮像日付６１５、焦点距離６２５、シャッター速度６３５、撮像モード６５５およびストロボ使用状態６６５が画面右下に表示されているが、画像９０の猫の像９１に撮像日時６１５が重畳して表示されているために撮像日付がよく見えない。
このため、図１１（ｂ）の例では、撮像情報の一部、すなわち、焦点距離６２５、シャッター速度６３５、撮像モード６５５およびストロボ使用状態６６５の表示位置を画面左下に移動させ、撮像日時６１５を右下隅に移動表示して猫の像９１と重ならないようにした。
【００８５】
この場合、使用者は先ず、焦点距離６２５の先頭にタッチしてから移動先の画面左下方の所望の位置にタッチすると、焦点距離６２５がタッチした位置の近傍を表示開始位置として画面左下方に移動表示される。同様の動作を繰り返してシャッター速度６３５、撮像モード６５５およびストロボ使用状態６６５の表示位置を移動させ、次に、撮像日付６１５にタッチして画面右下隅をタッチして移動先を指示することにより、撮像日付６１５を画面右下隅に移動させる。
このように任意の場所に撮像情報を分割して移動できるので、撮像情報が画像に重ならないようにできる他、画像の構図上好ましい位置に撮像情報を移動できる。
【００８６】
図１１（ｃ）の例は、撮像情報表示手段１２０を複数個表示された撮像情報を一括して移動させ、表示するように構成した場合の例であり、撮像情報全部、すなわち、撮像日時６１５、焦点距離６２５、シャッター速度６３５および撮像モード６５５およびストロボ使用状態６６５を一括して空いている左下方に移動させて表示する。この場合、使用者は先ず、一番上の撮像日時６１５の先頭位置にタッチしてから移動先の画面左下方の所望の位置にタッチすると、撮像日時６１５、焦点距離６２５、シャッター速度６３５および撮像モード６５５およびストロボ使用状態６６５がタッチした位置の近傍を撮像日時６１５の表示開始位置として画面左下方に表示される。
【００８７】
［表示文字等の変更例］
図１２は、撮像情報を表示する文字表示の変更例（拡大／縮小および字体変更）の説明図であり、（ａ）は表示された撮像情報の例、（ｂ）は撮像情報の一部を拡大した例、（ｃ）は撮像情報の一部を縮小した例、（ｄ）は撮像情報の一部の字体を変更した例の説明図である。
【００８８】
図１２（ａ）では、撮像情報として撮像日付６１５、撮像モード６５５およびストロボ使用状態６６５が画面右下に表示され、焦点距離６２５、シャッター速度６３５が画面右上に表示されている。
図１２（ａ）で、表示文字等の変更メニュー「する」にタッチすると、図１２（ｂ）〜（ｄ）に示す表示文字変更選択メニュー１２０１，１２０２，１２０３が表示される。
使用者が、先ず、選択メニュー１２０１（拡大）にタッチし、次に、拡大したい撮像情報（本実施例では焦点距離６２５およびシャッター速度６３５）にそれぞれタッチすると、それらが拡大表示される（図１２（ｂ））。
使用者が、先ず、選択メニュー１２０２（縮小）にタッチし、次に、縮小したい撮像情報（本実施例では撮像日付６１５、撮像モード６５５およびストロボ使用状態６６５）にそれぞれタッチすると、それらが縮小表示される（図１２（ｃ））。
使用者が、先ず、選択メニュー１２０３（字体変更）にタッチし、字体を変更したい撮像情報（本実施例では、撮像モード６５５およびストロボ使用状態６６５）にそれぞれタッチすると、それらの字体が変更される。変更された字体が所望のものでない場合には選択メニュー１２０３にタッチを繰り返して字体を順次変更できる（図１２（ｃ））。
【００８９】
上記表示文字変更により、撮像情報を表示する空白部分が十分でない場合に縮小して表示したり、画像の構図上、表示文字の拡大が望ましい場合に拡大したりできる。また、画像とのバランス上字体の変更が望ましいような場合に字体を変更できる。
なお、撮像画像（撮像情報表示部分）の色と撮像情報の色が類似している場合には、撮像情報の表示文字が見にくくなってしまうので、この問題を解決するために撮像情報の表示文字色をユーザーが選択することにより適宜変更設定できるようにしてもよい。
【００９０】
また、本実施例では、ユーザーが手動操作により撮像情報の表示位置、文字サイズ、文字色等を変更設定する場合について説明したが、撮像画像中の被写体の位置や撮像画像の色を自動判別して、撮像情報の表示位置、文字サイズ、文字色等を自動変更するようにしてもよい。
【００９１】
例えば、撮像画像中の被写体を輪郭検出等により認識することにより、撮像情報を被写体と重ならない位置に移動するように制御したり、撮像情報が被写体と重ならないようにするために撮像情報の文字サイズを縮小変更したり、撮像情報の文字サイズを被写体と重ならない範囲内で最大限に拡大変更するように制御する。
なお、前記輪郭検出に変えて撮像画像中のピントの合っている部分を被写体部分を認識するようにすることもできる。
また、本実施例では、タッチ入力により撮像情報の移動先を指定するようにしたが、液晶表示部上にカーソルを表示させ、カーソルをキー操作により移動させることにより撮像情報の移動先を指定するようにしてもよい。
以上本発明の一実施例について説明したが、本発明は上記実施例に限定されるものではなく、種々の変形実施が可能であることはいうまでもない。
【図面の簡単な説明】
【００９２】
【図１】本発明の電子カメラ装置の一実施例としてのデジタルカメラの外観（背面外観例）を示す外観図である。
【図２】本発明の電子カメラの一実施例としてのデジタルカメラの回路構成例を示すブロック図である。
【図３】撮像情報記録部の構成例を示す説明図である。
【図４】撮像情報設定手段および撮像情報表示手段の構成例を示すブロック図である。
【図５】撮像情報設定手段の基本的動作を示すフローチャートである。
【図６】撮像情報表示手段の基本的動作を示すフローチャートである。
【図７】撮像情報の選択／表示例の説明図である。
【図８】撮像情報選択／表示処理時の制御部の動作例を示すフローチャートである。
【図９】撮像情報変更／表示例の説明図である。
【図１０】撮像情報変更／表示処理時の制御部の動作例を示すフローチャートである。
【図１１】撮像情報の移動表示例（表示位置の変更）例の説明図である。
【図１２】撮像情報を表示する文字表示の変更例（拡大／縮小および字体変更）例の説明図である。
【符号の説明】
【００９３】
１５  撮像情報記録部（表示情報記憶手段）
４０  表示部兼入力部（表示装置、入力手段）
４５  位置検出センサー（入力手段）
１００  電子カメラ装置
１２１  表示情報選択手段（撮像情報選択表示手段、撮像情報格納手段）
１２２  表示位置決定手段
１２３  撮像情報移動手段（撮像情報移動表示手段）
１２４  文字サイズ等変更手段（文字サイズ変更手段、字体変更手段）
１２５  撮像情報更新手段（位置情報更新手段）
１５０  撮像情報レコード（表示用情報）
【図１】
2006189895.tif 000003
【図２】
2006189895.tif 000004
【図３】
2006189895.tif 000005
【図４】
2006189895.tif 000006
【図５】
2006189895.tif 000007
【図６】
2006189895.tif 000008
【図７】
2006189895.tif 000009
【図８】
2006189895.tif 000010
【図９】
2006189895.tif 000011
【図１０】
2006189895.tif 000012
【図１１】
2006189895.tif 000013
【図１２】
2006189895.tif 000014
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
撮像素子で取り込んだ撮像画像を表示装置に表示する電子カメラ装置において、
前記表示装置に表示されている撮像画像上に複数種の文字情報を表示する文字情報表示手段と、
この文字情報表示手段により表示されている複数種の文字情報のうち一部の文字情報を指定する文字情報指定手段と、
この文字情報指定手段により指定された一部の文字情報の表示形態を変更する表示形態変更手段と、
を有することを特徴とする電子カメラ装置。
【請求項２】
前記表示形態変更手段により表示形態が変更された文字情報の表示形態を示す表示形態情報を記憶する記憶手段を備え、
前記文字情報表示手段は、前記記憶手段に記憶されている表示形態情報に応じた表示形態で前記文字情報を表示することを特徴とする請求項１記載の電子カメラ装置。
【請求項３】
複数種の表示形態のうち任意の表示形態を選択する表示形態選択手段を備え、
前記表示形態変更手段は、前記文字情報指定手段により指定された一部の撮像情報の表示形態を、前記表示形態選択手段により選択された表示形態に変更することを特徴とする請求項１又は２記載の電子カメラ装置。
【請求項４】
前記表示形態変更手段は、前記文字情報指定手段により指定された一部の文字情報の表示位置、文字サイズ、字体、又は文字色を変更することを特徴とする請求項１乃至３のいずれかに記載の電子カメラ装置。
【請求項５】
前記表示装置の画面上に位置検出素子を配設した入力手段を備え、
前記文字情報指定手段は、前記入力手段を用いて前記文字情報表示手段により表示されている複数種の文字情報のうち一部の文字情報を指定することを特徴とする請求項１乃至４のいずれかに記載の電子カメラ装置。
【請求項６】
表示装置に表示されている撮像画像上に文字情報を表示する文字情報表示装置において、
前記表示装置に表示されている撮像画像上に複数種の文字情報を表示する文字情報表示手段と、
この文字情報表示手段により表示されている複数種の文字情報のうち一部の文字情報を指定する文字情報指定手段と、
この文字情報指定手段により指定された一部の文字情報の表示形態を変更する表示形態変更手段と、
を有することを特徴とする文字情報表示装置。
【請求項７】
表示装置に表示されている撮像画像上に該撮像画像に関する撮像情報を表示する撮像情報表示装置において、
前記表示装置に表示されている撮像画像上に該撮像画像に関する複数種の撮像情報を表示する撮像情報表示手段と、
この撮像情報表示手段により表示されている複数種の撮像情報のうち一部の撮像情報を指定する撮像情報指定手段と、
この撮像情報指定手段により指定された一部の撮像情報の表示形態を変更する表示形態変更手段と、
を有することを特徴とする撮像情報表示装置。
【請求項８】
前記表示形態変更手段により表示形態が変更された撮像情報の表示形態を示す表示形態情報を記憶する記憶手段を備え、
前記撮像情報表示手段は、前記記憶手段に記憶されている表示形態情報に応じた表示形態で前記撮像情報を表示することを特徴とする請求項７記載の撮像情報表示装置。
【請求項９】
前記撮像画像と、該撮像画像に関する複数種の撮像情報とを関連付けて複数組記憶する記憶手段と、
この記憶手段に記憶されている複数の撮像画像のうち任意の撮像画像を選択する撮像画像選択手段と、
この撮像画像選択手段により選択された撮像画像を前記表示装置に表示させる表示制御手段とを備え、
前記撮像情報表示手段は、前記表示制御手段により前記表示装置に表示されている撮像画像と関連付けて前記記憶手段に記憶されている複数種の撮像情報を撮像画像上に表示することを特徴とする請求項７記載の撮像情報表示装置。
【請求項１０】
前記表示形態変更手段により表示形態が変更された撮像情報の表示形態を示す表示形態情報を、前記記憶手段に記憶されている複数種の撮像情報のうち前記表示形態が変更された撮像情報と関連付けて記憶する記憶制御手段を備え、
前記撮像情報表示手段は、前記記憶制御手段により前記記憶手段に前記表示形態情報が関連付けて記憶されている撮像情報を該表示形態情報に応じた表示形態で表示することを特徴とする請求項９記載の撮像情報表示装置。
【請求項１１】
複数種の表示形態のうち任意の表示形態を選択する表示形態選択手段を備え、
前記表示形態変更手段は、前記撮像情報指定手段により指定された一部の撮像情報の表示形態を、前記表示形態選択手段により選択された表示形態に変更することを特徴とする請求項７乃至１０のいずれかに記載の撮像情報表示装置。
【請求項１２】
前記表示形態変更手段は、前記撮像情報指定手段により指定された一部の撮像情報の表示位置、文字サイズ、字体、又は文字色を変更することを特徴とする請求項７乃至１１のいずれかに記載の撮像情報表示装置。
【請求項１３】
前記表示装置の画面上に位置検出素子を配設した入力手段を備え、
前記撮像情報指定手段は、前記入力手段を用いて前記撮像情報表示手段により表示されている複数種の撮像情報のうち一部の撮像情報を指定することを特徴とする請求項７乃至１２のいずれかに記載の撮像情報表示装置。
【請求項１４】
表示装置に表示されている撮像画像上に文字情報を表示する文字情報表示方法であって、
前記表示装置に表示されている撮像画像上に複数種の文字撮像情報を表示する工程と、
前記撮像画像上に表示されている複数種の文字情報のうち一部の文字情報を指定する工程と、
指定された一部の文字情報の表示形態を変更する工程と、
を有することを特徴とする文字情報表示方法。
【手続補正３】
【補正対象書類名】明細書
【補正対象項目名】０００１
【補正方法】変更
【補正の内容】
【０００１】
本発明は、デジタルカメラ等の電子カメラ装置、文字情報表示装置、および撮影情報表示装置に関し、特に、撮像画像と共に表示する撮像情報の表示補助機能に関する。
【手続補正４】
【補正対象書類名】明細書
【補正対象項目名】０００５
【補正方法】変更
【補正の内容】
【０００５】
本発明は、上記不具合および問題点を解決するためになされたものであり、撮像画像上に文字情報を表示する際の利便性の向上を可能にした電子カメラ装置、文字情報表示装置、撮影情報表示装置、および文字情報表示方法の提供を目的とする。
【手続補正５】
【補正対象書類名】明細書
【補正対象項目名】０００６
【補正方法】変更
【補正の内容】
【０００６】
上記の目的を達成するために第１の発明は、撮像素子で取り込んだ撮像画像を表示装置に表示する電子カメラ装置において、前記表示装置に表示されている撮像画像上に複数種の文字情報を表示する文字情報表示手段と、この文字情報表示手段により表示されている複数種の文字情報のうち一部の文字情報を指定する文字情報指定手段と、この文字情報指定手段により指定された一部の文字情報の表示形態を変更する表示形態変更手段と、を有することを特徴とする。
【手続補正６】
【補正対象書類名】明細書
【補正対象項目名】０００７
【補正方法】変更
【補正の内容】
【０００７】
上記第１の発明の電子カメラ装置において、前記表示形態変更手段により表示形態が変更された文字情報の表示形態を示す表示形態情報を記憶する記憶手段を備え、前記文字情報表示手段は、前記記憶手段に記憶されている表示形態情報に応じた表示形態で前記文字情報を表示するようにしてもよい。
また、複数種の表示形態のうち任意の表示形態を選択する表示形態選択手段を備え、前記表示形態変更手段は、前記文字情報指定手段により指定された一部の撮像情報の表示形態を、前記表示形態選択手段により選択された表示形態に変更するようにしてもよい。
また、前記表示形態変更手段は、前記文字情報指定手段により指定された一部の文字情報の表示位置、文字サイズ、字体、又は文字色を変更するようにしてもよい。
【手続補正７】
【補正対象書類名】明細書
【補正対象項目名】０００８
【補正方法】変更
【補正の内容】
【０００８】
また、前記表示装置の画面上に位置検出素子を配設した入力手段を備え、前記文字情報指定手段は、前記入力手段を用いて前記文字情報表示手段により表示されている複数種の文字情報のうち一部の文字情報を指定するようにしてもよい。
また、第２の発明は、表示装置に表示されている撮像画像上に文字情報を表示する文字情報表示装置において、前記表示装置に表示されている撮像画像上に複数種の文字情報を表示する文字情報表示手段と、この文字情報表示手段により表示されている複数種の文字情報のうち一部の文字情報を指定する文字情報指定手段と、この文字情報指定手段により指定された一部の文字情報の表示形態を変更する表示形態変更手段と、を有することを特徴とする。
【手続補正８】
【補正対象書類名】明細書
【補正対象項目名】０００９
【補正方法】変更
【補正の内容】
【０００９】
また、第３の発明は、表示装置に表示されている撮像画像上に該撮像画像に関する撮像情報を表示する撮像情報表示装置において、前記表示装置に表示されている撮像画像上に該撮像画像に関する複数種の撮像情報を表示する撮像情報表示手段と、この撮像情報表示手段により表示されている複数種の撮像情報のうち一部の撮像情報を指定する撮像情報指定手段と、この撮像情報指定手段により指定された一部の撮像情報の表示形態を変更する表示形態変更手段と、を有することを特徴とする。
また、前記表示形態変更手段により表示形態が変更された撮像情報の表示形態を示す表示形態情報を記憶する記憶手段を備え、前記撮像情報表示手段は、前記記憶手段に記憶されている表示形態情報に応じた表示形態で前記撮像情報を表示するようにしてもよい。
【手続補正９】
【補正対象書類名】明細書
【補正対象項目名】００１０
【補正方法】変更
【補正の内容】
【００１０】
また、前記撮像画像と、該撮像画像に関する複数種の撮像情報とを関連付けて複数組記憶する記憶手段と、この記憶手段に記憶されている複数の撮像画像のうち任意の撮像画像を選択する撮像画像選択手段と、この撮像画像選択手段により選択された撮像画像を前記表示装置に表示させる表示制御手段とを備え、前記撮像情報表示手段は、前記表示制御手段により前記表示装置に表示されている撮像画像と関連付けて前記記憶手段に記憶されている複数種の撮像情報を撮像画像上に表示するようにしてもよい。
また、前記表示形態変更手段により表示形態が変更された撮像情報の表示形態を示す表示形態情報を、前記記憶手段に記憶されている複数種の撮像情報のうち前記表示形態が変更された撮像情報と関連付けて記憶する記憶制御手段を備え、前記撮像情報表示手段は、前記記憶制御手段により前記記憶手段に前記表示形態情報が関連付けて記憶されている撮像情報を該表示形態情報に応じた表示形態で表示するようにしてもよい。
【手続補正１０】
【補正対象書類名】明細書
【補正対象項目名】００１１
【補正方法】変更
【補正の内容】
【００１１】
また、複数種の表示形態のうち任意の表示形態を選択する表示形態選択手段を備え、前記表示形態変更手段は、前記撮像情報指定手段により指定された一部の撮像情報の表示形態を、前記表示形態選択手段により選択された表示形態に変更するようにしてもよい。
また、前記表示形態変更手段は、前記撮像情報指定手段により指定された一部の撮像情報の表示位置、文字サイズ、字体、又は文字色を変更するようにしてもよい。
【手続補正１１】
【補正対象書類名】明細書
【補正対象項目名】００１２
【補正方法】変更
【補正の内容】
【００１２】
また、前記表示装置の画面上に位置検出素子を配設した入力手段を備え、前記撮像情報指定手段は、前記入力手段を用いて前記撮像情報表示手段により表示されている複数種の撮像情報のうち一部の撮像情報を指定するようにしてもよい。
また、第４の発明は、表示装置に表示されている撮像画像上に文字情報を表示する文字情報表示方法であって、前記表示装置に表示されている撮像画像上に複数種の文字撮像情報を表示する工程と、前記撮像画像上に表示されている複数種の文字情報のうち一部の文字情報を指定する工程と、指定された一部の文字情報の表示形態を変更する工程と、を有することを特徴とする。
【手続補正１２】
【補正対象書類名】明細書
【補正対象項目名】００１３
【補正方法】変更
【補正の内容】
【００１３】
以上説明したように、本発明によれば表示された撮像情報を画面の任意の位置に移動できるので、画像と撮像情報が重複表示される場合にも撮像と重ならない位置に撮像情報を表示できる。
【手続補正１３】
【補正対象書類名】明細書
【補正対象項目名】００１４
【補正方法】変更
【補正の内容】
【００１４】
また、所望の撮像情報を画面の任意の位置に移動できるので、画像に応じた撮像情報を表示できる。また、画像と撮像情報が重複表示される場合にも撮像と重ならない位置に撮像情報を表示できる。また、撮像情報を分割移動することもできるので、この場合には、画像の構図上望ましい位置に撮像情報を表示することができる。